(57)【要約】【課題】複数の電力変換部を備える電力変換装置において、製造コストの増加を抑えつつ、各電力変換部の異常を個別に判断する。【解決手段】複数の双方向ＤＣＤＣコンバータ１１と、複数の双方向ＤＣＤＣコンバータ１１の接続点と系統３３との間に流れる電流値を検出する電流検出部３５と、制御部１３とを備えて電力変換装置１を構成し、制御部１３は、一つの双方向ＤＣＤＣコンバータ１１を動作させたときに電流検出部３５により検出される電流値が指令電流の分変化しない場合、その双方向ＤＣＤＣコンバータ１１が異常であると判断する。【選択図】図１
2018133905.tif 000002
【特許請求の範囲】
【請求項１】
互いに並列接続され、電池の充電時、負荷に電力を供給する系統から出力される電力を充電用電力に変換して前記電池へ出力し、前記電池の放電時、前記電池から出力される電力を系統用電力に変換して前記負荷へ出力する複数の双方向電力変換部と、
前記複数の双方向電力変換部の接続点と前記系統との間に流れる電流値を検出する電流検出部と、
前記電池の充放電時、前記双方向電力変換部毎の指令電流値を算出するとともに、前記指令電流値が出力されるように前記複数の双方向電力変換部を順番に１つずつ動作させる制御部とを有し、
前記制御部は、前記複数の双方向電力変換部のうちの一つの双方向電力変換部を動作させたときに前記電流検出部により検出される電流値が前記指令電流値の分変化しない場合、前記双方向電力変換部が異常であると判断する
ことを特徴とする電力変換装置。
【請求項２】
請求項１に記載の電力変換装置であって、
前記制御部は、
前記電池の充放電時、前記電池の充電又は放電に必要な目標電流値を決定し、前記目標電流値を前記電力変換装置から出力させるために必要な前記双方向電力変換部の数を算出するとともに、前記数で前記目標電流値を割ることにより算出した電流値を前記指令電流値として設定する
ことを特徴とする電力変換装置。
【請求項３】
請求項１または請求項２に記載の電力変換装置であって、
前記複数の双方向電力変換部は、それぞれ、絶縁型双方向ＤＣＤＣコンバータであり、太陽光パネルに接続される電力変換部及び定置式バッテリーに接続される電力変換部の少なくとも１つに接続される
ことを特徴とする電力変換装置。
【請求項４】
請求項１〜３の何れか１項に記載の電力変換装置であって、
当該電力変換部は、充電スタンドであり、前記双方向電力変換部が異常である旨を報知する報知部を備える
ことを特徴とする電力変換装置。
【請求項５】
請求項１〜４の何れか１項に記載の電力変換装置であって、
前記負荷が設置されている家は、前記双方向電力変換部が異常である旨を表示する表示部を備える
ことを特徴とする電力変換装置。
【発明の詳細な説明】
【技術分野】
【０００１】
本発明は、電力変換装置に関する。
【背景技術】
【０００２】
電力変換装置として、例えば、互いに並列接続される複数の電力変換部を備え、異常判断期間において、各電力変換部を順番に１つずつ動作させ、各電力変換部の出力電圧または出力電流に基づいて、各電力変換部の異常を個別に制御部が判断するものがある。
【０００３】
関連する技術として、例えば、特許文献１がある。
【先行技術文献】
【特許文献】
【０００４】
【特許文献１】特開２０１３−８１３４９号公報
【発明の概要】
【発明が解決しようとする課題】
【０００５】
しかしながら、上述のように、互いに並列接続される複数の電力変換部を備え、異常判断期間において、各電力変換部を順番に１つずつ動作させ、各電力変換部の出力電圧または出力電流に基づいて、各電力変換部が異常であるか否かを制御部が判断する電力変換装置では、各電力変換部から制御部へ出力電圧または出力電流を示す信号を送信するための通信機能を用意する必要があり、電力変換部が増加すると、通信機能を拡張させる必要があり、その分製造コストが増加するという懸念がある。
【０００６】
本発明の一側面に係る目的は、複数の電力変換部を備える電力変換装置において、製造コストの増加を抑えつつ、各電力変換部の異常を個別に判断することである。
【課題を解決するための手段】
【０００７】
本発明に係る一つの形態である電力変換装置は、互いに並列接続され、電池の充電時、負荷に電力を供給する系統から出力される電力を充電用電力に変換して電池へ出力し、電池の放電時、電池から出力される電力を系統用電力に変換して負荷へ出力する複数の双方向電力変換部と、複数の双方向電力変換部の接続点と系統との間に流れる電流値を検出する電流検出部と、電池の充放電時、双方向電力変換部毎の指令電流値を算出するとともに、指令電流値が出力されるように複数の双方向電力変換部を順番に１つずつ動作させる制御部とを有する。
【０００８】
制御部は、複数の双方向電力変換部のうちの一つの双方向電力変換部を動作させたときに電流検出部により検出される電流値が指令電流値の分変化しない場合、双方向電力変換部が異常であると判断する。
【発明の効果】
【０００９】
本発明によれば、複数の双方向電力変換部を備える電力変換装置において、製造コストの増加を抑えつつ、各双方向電力変換部の異常を個別に判断することができる。
【図面の簡単な説明】
【００１０】
【図１】実施形態の電力変換装置の一例を示す図である。
【図２】制御部の動作の一例を示すフローチャートである。
【図３】系統に流れる電流の一例を示す図である。
【図４】実施形態の電力変換装置の他の例を示す図である。
【図５】実施形態の電力変換装置の他の例を示す図である。
【発明を実施するための形態】
【００１１】
以下、図面に基づいて実施形態について詳細を説明する。
図１は、実施形態の電力変換装置の一例を示す図である。
【００１２】
図１に示す電力変換装置１は、例えば、車両２に搭載される電池２１または家３に設置される家電機器などの負荷３１へ電力を出力する充電スタンドであって、互いに並列接続される複数の双方向ＤＣＤＣコンバータ１１（１１−１、１１−２、・・・、１２−ｎ）（電力変換部）と、双方向ＤＣ／ＡＣコンバータ１２と、各双方向ＤＣＤＣコンバータ１１及び双方向ＤＣ／ＡＣコンバータ１２の動作を制御する制御部１３と、報知部１４とを備える。なお、制御部１３は、例えば、ＣＰＵ（Central Processing Unit）、マルチコアＣＰＵ、またはプログラマブルなデバイス（ＦＰＧＡ（Field Programmable Gate Array）やＰＬＤ（Programmable Logic Device）など）により構成される。また、双方向ＤＣＤＣコンバータ１１及び双方向ＤＣ／ＡＣコンバータ１２は、絶縁型、非絶縁型のいずれでもよい。
【００１３】
電池２１は、例えば、リチウムイオン電池やニッケル水素電池などの充放電可能な電池であり、車両２に搭載される走行用モータや電装機器などに電力を供給する。
また、車両２に備えられる制御部２２は、電池２１の充電時、ユーザの指示や電池２１の状態などに基づいて、電力変換装置１から電池２１へ出力される電力が所定の電力になるように電流指令値Ｉｃ１を電力変換装置１へ出力する。
【００１４】
また、家３に設けられる制御部３２は、ユーザの指示や系統３３から分電盤３４を介して負荷３１へ出力される電流などに基づいて、電力変換装置１から分電盤３４を介して負荷３１へ出力される電力が所定の電力になるように電流指令値Ｉｃ２を電力変換装置１へ出力する。なお、制御部３２は、例えば、ＣＰＵ、マルチＣＰＵ、またはプログラマブルなデバイスにより構成される。
【００１５】
また、家３に備えられる表示部３６は、電力変換装置１の制御部１３から制御部３２を介して送られてくる所定のメッセージ（例えば、双方向ＤＣＤＣコンバータ１１が異常である旨のメッセージ）を表示する。
【００１６】
また、報知部１４は、例えば、ＬＥＤやスピーカなどにより構成され、制御部１３により動作が制御される。例えば、制御部１３は、双方向ＤＣＤＣコンバータ１１が異常であると判断すると、ＬＥＤを点灯させる、または、スピーカから所定の音を発生させる。
【００１７】
各双方向ＤＣＤＣコンバータ１１のうち、制御部１３により動作が制御される双方向ＤＣＤＣコンバータ１１は、電池２１の充電時、入力される電力（双方向ＤＣ／ＡＣコンバータ１２から出力される電力）を電池２１の充電用電力に変換し、電池２１へ出力し、電池２１の放電時、入力される電力（電池２１から出力される電力）を系統用電力に変換し、双方向ＤＣ／ＡＣコンバータ１２及び分電盤３４を介して負荷３１へ出力する。
【００１８】
双方向ＤＣ／ＡＣコンバータ１２は、電池２１の充電時、分電盤３４から出力される交流電力を直流電力に変換し、制御部１３により動作が制御される双方向ＤＣＤＣコンバータ１１を介して電池２１へ出力し、電池２１の放電時、制御部１３により動作が制御される双方向ＤＣＤＣコンバータ１１から出力される直流電力を交流電力に変換し、分電盤３４を介して負荷３１へ出力する。
【００１９】
制御部１３は、電池２１の充放電時、双方向ＤＣＤＣコンバータ１１毎の指令電流値Ｉｃを算出するとともに、それら指令電流値Ｉｃが出力されるように各双方向ＤＣＤＣコンバータ１１を順番に１つずつ動作させる。なお、双方向ＤＣＤＣコンバータ１１毎の指令電流値は、互いに同じ値でもよいし、互いに異なる値でもよい。
【００２０】
また、制御部１３は、各双方向ＤＣＤＣコンバータ１１のうちの一つの双方向ＤＣＤＣコンバータ１１を動作させたときに電流検出部３５（例えば、カレントトランス）により検出される電流値が指令電流値Ｉｃの分変化しない場合、その双方向ＤＣＤＣコンバータ１１が異常であると判断する。
【００２１】
これにより、実施形態の電力変換装置１は、各双方向ＤＣＤＣコンバータ１１の異常を個別に判断することができる。
【００２２】
また、実施形態の電力変換装置１は、１つの電流検出部３５により検出される電流に基づいて絶縁型双方向ＤＣＤＣコンバータ１１の異常を判断する構成であり、各双方向ＤＣＤＣコンバータ１１それぞれの出力電流に基づいて各双方向ＤＣＤＣコンバータ１１の異常を判断する場合に比べて、各双方向ＤＣＤＣコンバータ１１それぞれに電流検出部を備える必要がないため、製造コストの増加を抑えることができる。また、電池２１の充電時及び放電時の両タイミングにて双方向ＤＣＤＣコンバータ１１の異常を判断するため、各双方向ＤＣＤＣコンバータ１１の異常を確実に検出することができる。
【００２３】
図２は、制御部１３の動作の一例を示すフローチャートである。
まず、電池２１の充電時の制御部１３の動作について説明する。
【００２４】
制御部１３は、電池２１を充電するための指示（電池２１へ電力を出力するための指示）として全体の指令電流値Ｉｃ１が入力されると、その指令電流値Ｉｃ１に基づいて、電池２１を充電するために電力変換装置１から出力させる必要がある目標電流値を決定する（Ｓ２１）。例えば、指令電流値Ｉｃ１が３０［Ａ］である場合、制御部１３は、目標電流値として３０［Ａ］を決定する。なお、系統３３から負荷３１に電流が流れていないものとする。
【００２５】
次に、制御部１３は、目標電流値を電力変換装置１から出力するために動作させる必要がある双方向ＤＣＤＣコンバータ１１の数を算出する（Ｓ２２）。例えば、目標電流値が３０［Ａ］、電池２１の充電時の各双方向ＤＣＤＣコンバータ１１の最大出力電流が１０［Ａ］である場合、制御部１３は、３０［Ａ］／１０［Ａ］＝３を計算することにより、電池２１の充電に必要な双方向ＤＣＤＣコンバータ１１の数として３を算出する。
【００２６】
次に、制御部１３は、電池２１の充電に必要な双方向ＤＣＤＣコンバータ１１の数で、目標電流値を割ることにより算出した電流値を、双方向ＤＣＤＣコンバータ１１毎の指令電流値Ｉｃとして設定する（Ｓ２３）。例えば、目標電流値が３０［Ａ］、電池２１の充電に必要な双方向ＤＣＤＣコンバータ１１の数が３である場合、制御部１３は、３０［Ａ］／３＝１０［Ａ］を計算することにより、双方向ＤＣＤＣコンバータ１１毎の指令電流値Ｉｃとして１０［Ａ］を算出する。
【００２７】
次に、制御部１３は、停止中の双方向ＤＣＤＣコンバータ１１のうち、一つの双方向ＤＣＤＣコンバータ１１を動作させる（Ｓ２４）。
次に、制御部１３は、電流検出部３５により検出される電流値を取得する（Ｓ２５）。
【００２８】
次に、制御部１３は、電流検出部３５により検出された電流値が、一つの双方向ＤＣＤＣコンバータ１１を動作させる前に比べて、双方向ＤＣＤＣコンバータ１１毎の指令電流値Ｉｃの分変化していないと判断した場合（Ｓ２６：Ｎｏ）、その一つの双方向ＤＣＤＣコンバータ１１が異常であると判断し、その旨を不図示の記録部などに記録する（Ｓ２７）。これにより、ユーザは、記録部の内容を確認することで異常が発生した双方向ＤＣＤＣコンバータ１１を特定することができるため、電力変換装置１の早期復旧を図ることができる。
【００２９】
例えば、目標電流値が３０［Ａ］、電池２１の充電に必要な双方向ＤＣＤＣコンバータ１１の数が３、双方向ＤＣＤＣコンバータ１１毎の指令電流値Ｉｃが１０［Ａ］である場合、制御部１３は、図３（ａ）に示すように、三つ目の双方向ＤＣＤＣコンバータ１１を動作させたとき（時刻ｔ１）、その三つ目の双方向ＤＣＤＣコンバータ１１を動作させる前に比べて、電流検出部３５により検出された電流値が双方向ＤＣＤＣコンバータ１１毎の指令電流値Ｉｃの分増加していないと判断すると（電流検出部３５により検出された電流値が２０［Ａ］から３０［Ａ］に増加していないと判断すると）、三つ目の双方向ＤＣＤＣコンバータ１１が異常であると判断し、その旨を不図示の記録部などに記録する。また、制御部１３は、三つ目の双方向ＤＣＤＣコンバータ１１が異常である旨を制御部３２に送るように構成してもよい。制御部３２は、三つ目の双方向ＤＣＤＣコンバータ１１が異常である旨のメッセージを表示部３６に表示させる。また、制御部１３は、三つ目の双方向ＤＣＤＣコンバータ１１が異常であると判断すると、その旨を報知部１４の動作を制御することでユーザに報知するように構成してもよい。
【００３０】
一方、制御部１３は、図３（ｂ）に示すように、三つ目の双方向ＤＣＤＣコンバータ１１を動作させたとき（時刻ｔ２）、三つ目の双方向ＤＣＤＣコンバータ１１を動作させる前に比べて、電流検出部３５により検出された電流値が双方向ＤＣＤＣコンバータ１１毎の指令電流値Ｉｃの分増加したと判断すると（電流検出部３５により検出された電流値が２０［Ａ］から３０［Ａ］に増加したと判断すると）、三つ目の双方向ＤＣＤＣコンバータ１１が異常でないと判断する。
【００３１】
また、制御部１３は、電流検出部３５により検出された電流値が、一つの双方向ＤＣＤＣコンバータ１１を動作させる前に比べて、双方向ＤＣＤＣコンバータ１１毎の指令電流値Ｉｃの分増加したと判断した場合（Ｓ２６：Ｙｅｓ）、Ｓ２２で算出した数の双方向ＤＣＤＣコンバータ１１がすべて動作しているか否かを判断する（Ｓ２８）。
【００３２】
制御部１３は、Ｓ２２で算出した数の双方向ＤＣＤＣコンバータ１１がすべて動作していないと判断すると（Ｓ２８：Ｎｏ）、Ｓ２４に戻り、次の双方向ＤＣＤＣコンバータ１１を動作させる。
【００３３】
また、制御部１３は、Ｓ２２で算出した数の双方向ＤＣＤＣコンバータ１１がすべて動作していると判断すると（Ｓ２８：Ｙｅｓ）、異常判断処理を終了する。
次に、電池２１の放電時の制御部１３の動作について説明する。
【００３４】
制御部１３は、電池２１を放電するための指示（負荷３１へ電力を出力するための指示）として全体の指令電流値Ｉｃ２が入力されると、その指令電流値Ｉｃ２に基づいて、電池２１を放電するために電力変換装置１から出力させる必要がある目標電流値を決定する（Ｓ２１）。例えば、系統３３から負荷３１に４０［Ａ］の電流が流れ、指令電流値Ｉｃ２が２０［Ａ］である場合、制御部１３は、４０［Ａ］−２０［Ａ］＝２０［Ａ］を計算することにより、目標電流値として２０［Ａ］を決定する。
【００３５】
次に、制御部１３は、目標電流値を電力変換装置１から出力するために動作させる必要がある双方向ＤＣＤＣコンバータ１１の数を算出する（Ｓ２２）。例えば、目標電流値が２０［Ａ］、電池２１の放電時の各双方向ＤＣＤＣコンバータ１１の最大出力電流が１０［Ａ］である場合、制御部１３は、２０［Ａ］／１０［Ａ］＝２を計算することにより、電池２１の放電に必要な双方向ＤＣＤＣコンバータ１１の数として２を算出する。
【００３６】
次に、制御部１３は、電池２１の充電に必要な双方向ＤＣＤＣコンバータ１１の数で、目標電流値を割ることにより算出した電流値を、双方向ＤＣＤＣコンバータ１１毎の指令電流値Ｉｃとして設定する（Ｓ２３）。例えば、目標電流値が２０［Ａ］、電池２１の放電に必要な双方向ＤＣＤＣコンバータ１１の数が２である場合、制御部１３は、２０［Ａ］／２＝１０［Ａ］を計算することにより、双方向ＤＣＤＣコンバータ１１毎の指令電流値Ｉｃとして１０［Ａ］を算出する。
【００３７】
次に、制御部１３は、停止中の双方向ＤＣＤＣコンバータ１１のうち、一つの双方向ＤＣＤＣコンバータ１１を動作させる（Ｓ２４）。
次に、制御部１３は、電流検出部３５により検出される電流値を取得する（Ｓ２５）。
【００３８】
次に、制御部１３は、電流検出部３５により検出された電流値が、一つの双方向ＤＣＤＣコンバータ１１を動作させる前に比べて、双方向ＤＣＤＣコンバータ１１毎の指令電流値Ｉｃの分減少していないと判断した場合（Ｓ２６：Ｎｏ）、その一つの双方向ＤＣＤＣコンバータ１１が異常であると判断し、その旨を不図示の記録部などに記録する（Ｓ２７）。これにより、ユーザは、記録部の内容を確認することで異常が発生した双方向ＤＣＤＣコンバータ１１を特定することができるため、電力変換装置１の早期復旧を図ることができる。
【００３９】
例えば、目標電流値が２０［Ａ］、電池２１の放電に必要な双方向ＤＣＤＣコンバータ１１の数が２、双方向ＤＣＤＣコンバータ１１毎の指令電流値Ｉｃが１０［Ａ］である場合、制御部１３は、図３（ｃ）に示すように、二つ目の双方向ＤＣＤＣコンバータ１１を動作させたとき（時刻ｔ３）、その二つ目の双方向ＤＣＤＣコンバータ１１を動作させる前に比べて、電流検出部３５により検出された電流値が双方向ＤＣＤＣコンバータ１１毎の指令電流値Ｉｃの分減少していないと判断すると（電流検出部３５により検出された電流値が３０［Ａ］から２０［Ａ］に減少していないと判断すると）、ニつ目の双方向ＤＣＤＣコンバータ１１が異常であると判断し、その旨を不図示の記録部などに記録する。また、制御部１３は、ニつ目の双方向ＤＣＤＣコンバータ１１が異常である旨を制御部３２に送るように構成してもよい。制御部３２は、ニつ目の双方向ＤＣＤＣコンバータ１１が異常である旨のメッセージを表示部３６に表示させる。また、制御部１３は、ニつ目の双方向ＤＣＤＣコンバータ１１が異常であると判断すると、その旨を報知部１４の動作を制御することでユーザに報知するように構成してもよい。
【００４０】
一方、制御部１３は、図３（ｄ）に示すように、ニつ目の双方向ＤＣＤＣコンバータ１１を動作させたとき（時刻ｔ４）、ニつ目の双方向ＤＣＤＣコンバータ１１を動作させる前に比べて、電流検出部３５により検出された電流値が双方向ＤＣＤＣコンバータ１１毎の指令電流値Ｉｃの分減少したと判断すると（電流検出部３５により検出された電流値が３０［Ａ］から２０［Ａ］に減少したと判断すると）、ニつ目の双方向ＤＣＤＣコンバータ１１が異常でないと判断する。
【００４１】
また、制御部１３は、電流検出部３５により検出された電流値が、一つの双方向ＤＣＤＣコンバータ１１を動作させる前に比べて、双方向ＤＣＤＣコンバータ１１毎の指令電流値Ｉｃの分減少したと判断した場合（Ｓ２６：Ｙｅｓ）、Ｓ２２で算出した数の双方向ＤＣＤＣコンバータ１１がすべて動作しているか否かを判断する（Ｓ２８）。
【００４２】
制御部１３は、Ｓ２２で算出した数の双方向ＤＣＤＣコンバータ１１がすべて動作していないと判断すると（Ｓ２８：Ｎｏ）、Ｓ２４に戻り、次の双方向ＤＣＤＣコンバータ１１を動作させる。
【００４３】
また、制御部１３は、Ｓ２２で算出した数の双方向ＤＣＤＣコンバータ１１がすべて動作していると判断すると（Ｓ２８：Ｙｅｓ）、異常判断処理を終了する。
なお、本発明は、以上の実施の形態に限定されるものではなく、本発明の要旨を逸脱しない範囲内で種々の改良、変更が可能である。
【００４４】
例えば、図４に示すように、各双方向ＤＣＤＣコンバータ１１と双方向ＤＣ／ＡＣコンバータ１２との接続点に、太陽光発電装置４及び定置式蓄電装置５を接続してもよい。
太陽光発電装置４は、太陽光パネル４１と、ＤＣＤＣコンバータ４２（電力変換部）と、ＤＣＤＣコンバータ４２の動作を制御する制御部４３とを備える。
【００４５】
制御部４３は、電力変換装置１の制御部１３から出力される電流指令値Ｉｃ３に基づいて、太陽光パネル４１から出力される電力が型双方向ＤＣ／ＡＣコンバータ１２及び分電盤３４を介して負荷３１へ出力されるように、または、太陽光パネル４１から出力される電力が制御部１３により動作が制御される双方向ＤＣＤＣコンバータ１１を介して電池２１へ出力されるように、双方向ＤＣＤＣコンバータ４２の動作を制御する。なお、制御部４３は、例えば、ＣＰＵ、マルチＣＰＵ、またはプログラマブルなデバイスにより構成される。
【００４６】
定置式蓄電装置５は、定置式バッテリー５１と、双方向ＤＣＤＣコンバータ５２（電力変換部）と、制御部５３とを備える。
【００４７】
制御部５３は、定置式バッテリー５１の充電時、系統３３から分電盤３４及び双方向ＤＣ／ＡＣコンバータ１２を介して出力される電力が、定置式バッテリー５１の充電用電力に変換されるように、双方向ＤＣＤＣコンバータ５２の動作を制御する。
【００４８】
また、制御部５３は、定置式バッテリー５１の放電時、定置式バッテリー５１から出力される電力が、双方向ＤＣ／ＡＣコンバータ１２及び分電盤３４を介して負荷３１へ出力されるように、双方向ＤＣＤＣコンバータ５２の動作を制御する。
【００４９】
また、制御部５３は、電池２１の充電時、定置式バッテリー５１から出力される電力が、電力変換装置１の制御部１３から出力される電流指令値Ｉｃ４に基づく電力に変換されるように、双方向ＤＣＤＣコンバータ５２の動作を制御する。双方向ＤＣＤＣコンバータ５２から出力される電力は、制御部１３により動作が制御される双方向ＤＣＤＣコンバータ１１を介して電池２１へ出力される。
【００５０】
また、制御部５３は、電池２１の放電時、制御部１３により動作が制御される双方向ＤＣＤＣコンバータ１１から出力される電力が、定置式バッテリー５１の充電用電力に変換されるように、双方向ＤＣＤＣコンバータ５２の動作を制御する。
【００５１】
なお、制御部５３は、例えば、ＣＰＵ、マルチＣＰＵ、またはプログラマブルなデバイスにより構成される。
【００５２】
また、各双方向ＤＣＤＣコンバータ１１は、太陽光パネル４１に接続されるＤＣＤＣコンバータ４２及び定置式バッテリー５１に接続される双方向ＤＣＤＣコンバータ５２の少なくとも１つに接続されるように構成してもよい。このように構成することにより、電池２１から負荷３１へ出力される電力の不足分を太陽光パネル４１から出力される電力や定置式バッテリー５１から出力される電力で補うことができる。また、系統３３から電池２１へ出力される電力の不足分を太陽光パネル４１から出力される電力や定置式バッテリー５１から出力される電力で補うことができる。
【００５３】
また、上記実施形態では、電流検出部３５が系統３３と分電盤３４との間に設けられる構成であるが、各双方向ＤＣＤＣコンバータ１１の接続点と双方向ＤＣ／ＡＣコンバータ１２との間に設けられていてもよい。すなわち、電流検出部３５は、各双方向ＤＣＤＣコンバータ１１の接続点と系統３３との間であればどの位置に設けられていてもよい。
【００５４】
また、例えば、図５に示すように、電力変換装置１に複数の双方向ＤＣ／ＡＣコンバータ１２（１２−１〜１２−ｎ）を備えるように構成してもよい。双方向ＤＣ／ＡＣコンバータ１２−１は双方向ＤＣＤＣコンバータ１１−１に直列接続され、双方向ＤＣ／ＡＣコンバータ１２−２は双方向ＤＣＤＣコンバータ１１−２に直列接続され、・・・、双方向ＤＣ／ＡＣコンバータ１２−ｎは双方向ＤＣＤＣコンバータ１１−ｎに直列接続されている。各双方向ＤＣ／ＡＣコンバータ１２のうち、制御部１３により動作が制御される双方向ＤＣ／ＡＣコンバータ１２は、電池２１の充電時、分電盤３４から出力される交流電力を直流電力に変換し、制御部１３により動作が制御される双方向ＤＣＤＣコンバータ１１を介して電池２１へ出力する。また、各双方向ＤＣ／ＡＣコンバータ１２のうち、制御部１３により動作が制御される双方向ＤＣ／ＡＣコンバータ１２は、電池２１の放電時、制御部１３により動作が制御される双方向ＤＣＤＣコンバータ１１から出力される直流電力を交流電力に変換し、分電盤３４を介して負荷３１へ出力する。
【符号の説明】
【００５５】
１  電力変換装置
１１  双方向ＤＣＤＣコンバータ
１２  双方向ＤＣ／ＡＣコンバータ
１３  制御部
１４  報知部
２  車両
２１  電池
２２  制御部
３  家
３１  負荷
３２  制御部
３３  系統
３４  分電盤
３５  電流検出部
３６  表示部
４  太陽光発電装置
４１  太陽光パネル
４２  ＤＣＤＣコンバータ
４３  制御部
５  定置式蓄電装置
５１  定置式バッテリー
５２  双方向ＤＣＤＣコンバータ
５３  制御部
【図１】
2018133905.tif 000003
【図２】
2018133905.tif 000004
【図３】
2018133905.tif 000005
【図４】
2018133905.tif 000006
【図５】
2018133905.tif 000007